(57)【要約】【課題】  ある物品に装備されたタグを所定時刻を含む所定時間内に読み取らなかった場合に、該物品に係わる所定の情報を音声や振動により利用者に教示する機能を有する携帯型の物品識別装置を提供する。【解決手段】  まず、処理部１６は、音声入力部１２より入力された音声情報（指定時刻の情報を含む。）を所定の物品に装備されたタグの識別子に対応付けて記憶部１３に記憶させる。処理部１６は、時計機能部１４における現在時刻と記憶部１３に記憶されている指定時刻がある一定の関係になるまでに所定のタグが読取部１１によって読み取られなかったときには、音声出力部１５から、例えばその物品に係わる行動を促す音声を出力する。【選択図】    図１
2005080796.tif 000002
【特許請求の範囲】
【請求項１】
固有の識別子を有するタグを読み取る読取部と、
情報を入力する入力部と、
前記入力部から入力された情報を前記タグに対応付けて記憶する記憶部と、
振動を発生する振動発生部と
を備え、前記記憶部に記憶されている情報に対応付けられたタグを前記読取部により読み取ったときに、該情報に対応する振動を前記振動発生部により発生する物品識別装置。
【請求項２】
前記振動発生部が発生する振動は、振動している時間と振動してない時間との組み合わせからなり、この間欠動作により前記記憶部に記憶されている情報の内容を教示することを特徴とする請求項１記載の物品識別装置。
【請求項３】
固有の識別子を有するタグを読み取る読取部と、
音声情報を入力する音声入力部と、
前記音声入力部から入力された音声情報をタグに対応付けて記憶する記憶部と、
音声を出力する音声出力部と、
振動を発生する振動発生部と
を備え、前記記憶部に記憶されている音声情報に対応付けられたタグを前記読取部により読み取ったときに、前記音声出力部や前記振動発生部により該音声情報に対応する音声または該音声情報に対応する振動、もしくは音声および振動を発生する物品識別装置。
【請求項４】
前記振動発生部が発生する振動は、振動している時間と振動してない時間との組み合わせからなり、この間欠動作により前記記憶部に記憶されている音声情報の内容を教示することを特徴とする請求項３記載の物品識別装置。
【請求項５】
請求項１もしくは２のいずれかに記載の物品識別装置であって、時計機能部を備え、前記記憶部に記憶されている情報は指定時刻の情報を含み、前記時計機能部により時刻を検知し該指定時刻を含む所定の時間帯に前記読取部により所定のタグが読み取られないとき、前記振動発生部により振動を発生する物品識別装置。
【請求項６】
固有の識別子を有するタグを読み取る読取部と、音声情報を入力する音声入力部と、前記音声入力部から入力された音声情報をタグに対応付けて記憶する記憶部と、音声を出力する音声出力部と、を備え、前記記憶部に記憶されている音声情報に対応付けられたタグを前記読取部により読み取ったときに、該音声情報に対応する音声を前記音声出力部により発生する物品識別装置において、時計機能部を備えさせ、前記記憶部に記憶されている音声情報は指定時刻の情報を含み、前記時計機能部により時刻を検知し該指定時刻を含む所定の時間帯に前記読取部により所定のタグが読み取られないとき、前記音声出力部により音声を発生する物品識別装置。
【請求項７】
請求項３もしくは４のいずれかに記載の物品識別装置であって、時計機能部を備え、前記記憶部に記憶されている音声情報は指定時刻の情報を含み、前記時計機能部により時刻を検知し該指定時刻を含む所定の時間帯に前記読取部により所定のタグが読み取られないとき、前記音声出力部や前記振動発生部により音声または振動、もしくは音声および振動を発生する物品識別装置。
【請求項８】
所定のタグが読み取られるまで定期的に振動を発生する請求項５記載の物品識別装置。
【請求項９】
所定のタグが読み取られるまで定期的に音声を発生する請求項６記載の物品識別装置。
【請求項１０】
所定のタグが読み取られるまで定期的に音声または振動、もしくは音声および振動を発生する請求項７記載の物品識別装置。
【請求項１１】
指定時刻を含む所定の時間帯に前記読取部により所定のタグが読み取られないときに前記音声出力部から出力される音声が、前記記憶部に記憶されている音声情報に含まれる行動の情報または該行動に関連する時刻の情報、もしくは行動の情報および時刻の情報を通知する音声であることを特徴とする請求項６、７、９、１０のいずれかに記載の物品識別装置。
【請求項１２】
固有の識別子を有するタグを読み取る読取部と、
情報を入力する入力部と、
前記入力部から入力された情報を前記タグに対応付けて記憶する記憶部と、
振動を発生する振動発生部と、
時計機能部と
を備え、前記記憶部に記憶されている情報は指定時刻の情報を含み、前記時計機能部により時刻を検知し該指定時刻を含む所定の時間帯に前記読取部により所定のタグが読み取られないとき、前記振動発生部により振動を発生する情報教示装置。
【請求項１３】
固有の識別子を有するタグを読み取る読取部と、
音声情報を入力する音声入力部と、
前記音声入力部から入力された音声情報を前記タグに対応付けて記憶する記憶部と、
音声を出力する音声出力部と、
時計機能部と
を備え、前記記憶部に記憶されている音声情報は指定時刻の情報を含み、前記時計機能部により時刻を検知し該指定時刻を含む所定の時間帯に前記読取部により所定のタグが読み取られないとき、前記音声出力部により音声を発生する情報教示装置。
【請求項１４】
固有の識別子を有するタグを読み取る読取部と、
音声情報を入力する音声入力部と、
前記音声入力部から入力された音声情報をタグに対応付けて記憶する記憶部と、
音声を出力する音声出力部と、
振動を発生する振動発生部と、
時計機能部と
を備え、前記記憶部に記憶されている音声情報は指定時刻の情報を含み、前記時計機能部により時刻を検知し該指定時刻を含む所定の時間帯に前記読取部により所定のタグが読み取られないとき、前記音声出力部や前記振動発生部により音声または振動、もしくは音声および振動を発生する情報教示装置。
【請求項１５】
所定のタグが読み取られるまで定期的に振動を発生する請求項１２記載の情報教示装置。
【請求項１６】
所定のタグが読み取られるまで定期的に音声を発生する請求項１３記載の情報教示装置。
【請求項１７】
所定のタグが読み取られるまで定期的に音声または振動、もしくは音声および振動を発生する請求項１４記載の情報教示装置。
【請求項１８】
指定時刻を含む所定の時間帯に前記読取部により所定のタグが読み取られないときに前記音声出力部から出力される音声が、前記記憶部に記憶されている音声情報に含まれる行動の情報または該行動に関連する時刻の情報、もしくは行動の情報および時刻の情報を通知する音声であることを特徴とする請求項１３、１４、１６、１７のいずれかに記載の情報教示装置。
【発明の詳細な説明】
【技術分野】
【０００１】
本発明は、タグを読み取る機能を備えた物品識別装置および情報教示装置に関する。
【背景技術】
【０００２】
日本における視覚障害者の数は約３５万人と云われている。しかし、人間が外界から得る情報の多くは視覚に依存したものであり、視覚障害者は、日常生活や社会生活において多くの不便や不利益を被っている。このような社会環境の中、ＩＴ技術を応用した視覚障害者支援システムに対する社会的要望は大きく、さまざまな研究がすすめられている。
【０００３】
例えば、視覚障害者が単独で家庭の中で生活する上で、身の回りの物品を識別できるようにするために、識別対象の物品に該物品を特定するための情報を記録した無線タグを装着しておき、視覚障害者が該物品を設置型の無線タグ読取装置に近づけると該物品に関わる情報を音声にて提供する物品識別装置が従来より提案されている（例えば、特許文献１参照。）。
【０００４】
しかしながら、従来の設置型の物品識別装置は、音声を発する以外の方法で物品に係わる情報を視覚障害者へ知らせる機能を持たず、そのためこの従来の物品識別装置を小型化し携帯できるようにしたとしても、音声が聞き取り難い環境などでは利用できず、利便性に欠けるきらいがあった。
【０００５】
また、例えば投薬時間やラジオの聴取開始時間になったことを視覚障害者が気付かなかった場合にそれを指摘することはできなかった。
このように、従来の設定型の物品識別装置は、無線タグを装着した物品が近づくと該物品に係わる情報を音声にて視覚障害者に知らせる機能を有するのみであり、多様性に欠けていた。
【特許文献１】特開２００１―３５０４８５号
【発明の開示】
【発明が解決しようとする課題】
【０００６】
本発明は、上記問題点に鑑み、タグを備えた識別対象の物品に対応する振動を発生させ、視覚障害者を始めとする利用者が振動により該物品を識別できるようにする機能や、ある物品に装備されたタグを所定時刻を含む所定時間内に読み取らなかった場合に、該物品に係わる所定の情報を音声や振動により利用者に教示する機能を有する携帯型の物品識別装置を提供することを目的とする。該物品識別装置によれば、音声が聞き取り難い環境であっても、物品に係わる情報を振動にて知らせることができるので、小型化し携帯できるようにしたときの利便性を高めることができる。また、所定の時刻に所定の物品に装備されたタグを読み取らなかった場合に、該物品に係わる所定の情報を利用者に教示するので、例えば日常的に服用する薬の包装箱に無線タグを取り付けておけば、投薬時間になったことを利用者が気付かなかった場合、利用者はその薬に近づかず、利用者が携帯する物品識別装置はそのタグを読み取らないので、それを指摘することができる。
【０００７】
また、従来、上述の所定の時刻に所定の物品に装備されたタグを読み取らなかった場合に、該物品に係わる所定の情報を利用者に教示する機能を有する装置はなかった。
そこで、本発明は、ある物品に装備されたタグを所定時刻を含む所定時間内に読み取らなかったときには、該物品に係わる所定の情報を音声や振動により利用者に教示する携帯型の情報教示装置を提供することを目的とする。該情報教示装置によれば、例えば投薬時間やラジオの聴取開始時間になったことを利用者が気付かなかった場合にそれを指摘することができる。
【課題を解決するための手段】
【０００８】
本発明の請求項１記載の物品識別装置は、固有の識別子を有するタグを読み取る読取部と、情報を入力する入力部と、前記入力部から入力された情報を前記タグに対応付けて記憶する記憶部と、振動を発生する振動発生部とを備え、前記記憶部に記憶されている情報に対応付けられたタグを前記読取部により読み取ったときに、該情報に対応する振動を前記振動発生部により発生することを特徴とする。
【０００９】
本発明の請求項２記載の物品識別装置は、請求項１記載の物品識別装置であって、前記振動発生部が発生する振動は、振動している時間と振動してない時間との組み合わせからなり、この間欠動作により前記記憶部に記憶されている情報の内容を教示することを特徴とする。
【００１０】
本発明の請求項３記載の物品識別装置は、固有の識別子を有するタグを読み取る読取部と、音声情報を入力する音声入力部と、前記音声入力部から入力された音声情報をタグに対応付けて記憶する記憶部と、音声を出力する音声出力部と、振動を発生する振動発生部とを備え、前記記憶部に記憶されている音声情報に対応付けられたタグを前記読取部により読み取ったときに、前記音声出力部や前記振動発生部により該音声情報に対応する音声または該音声情報に対応する振動、もしくは音声および振動を発生することを特徴とする。
【００１１】
本発明の請求項４記載の物品識別装置は、請求項３記載の物品識別装置であって、前記振動発生部が発生する振動は、振動している時間と振動してない時間との組み合わせからなり、この間欠動作により前記記憶部に記憶されている音声情報の内容を教示することを特徴とする。
【００１２】
本発明の請求項５記載の物品識別装置は、請求項１もしくは２のいずれかに記載の物品識別装置であって、時計機能部を備え、前記記憶部に記憶されている情報は指定時刻の情報を含み、前記時計機能部により時刻を検知し該指定時刻を含む所定の時間帯に前記読取部により所定のタグが読み取られないとき、前記振動発生部により振動を発生することを特徴とする。
【００１３】
本発明の請求項６記載の物品識別装置は、固有の識別子を有するタグを読み取る読取部と、音声情報を入力する音声入力部と、前記音声入力部から入力された音声情報をタグに対応付けて記憶する記憶部と、音声を出力する音声出力部と、を備え、前記記憶部に記憶されている音声情報に対応付けられたタグを前記読取部により読み取ったときに、該音声情報に対応する音声を前記音声出力部により発生する物品識別装置において、時計機能部を備えさせ、前記記憶部に記憶されている音声情報は指定時刻の情報を含み、前記時計機能部により時刻を検知し該指定時刻を含む所定の時間帯に前記読取部により所定のタグが読み取られないとき、前記音声出力部により音声を発生することを特徴とする。
【００１４】
本発明の請求項７記載の物品識別装置は、請求項３もしくは４のいずれかに記載の物品識別装置であって、時計機能部を備え、前記記憶部に記憶されている音声情報は指定時刻の情報を含み、前記時計機能部により時刻を検知し該指定時刻を含む所定の時間帯に前記読取部により所定のタグが読み取られないとき、前記音声出力部や前記振動発生部により音声または振動、もしくは音声および振動を発生することを特徴とする。
【００１５】
本発明の請求項８記載の物品識別装置は、請求項５記載の物品識別装置であって、所定のタグが読み取られるまで定期的に振動を発生することを特徴とする。
本発明の請求項９記載の物品識別装置は、請求項６記載の物品識別装置であって、所定のタグが読み取られるまで定期的に音声を発生することを特徴とする。
【００１６】
本発明の請求項１０記載の物品識別装置は、請求項７記載の物品識別装置であって、所定のタグが読み取られるまで定期的に音声または振動、もしくは音声および振動を発生することを特徴とする。
【００１７】
本発明の請求項１１記載の物品識別装置は、請求項６、７、９、１０のいずれかに記載の物品識別装置であって、指定時刻を含む所定の時間帯に前記読取部により所定のタグが読み取られないときに前記音声出力部から出力される音声が、前記記憶部に記憶されている音声情報に含まれる行動の情報または該行動に関連する時刻の情報、もしくは行動の情報および時刻の情報を通知する音声であることを特徴とする。
【００１８】
本発明の請求項１２記載の情報教示装置は、固有の識別子を有するタグを読み取る読取部と、情報を入力する入力部と、前記入力部から入力された情報を前記タグに対応付けて記憶する記憶部と、振動を発生する振動発生部と、時計機能部とを備え、前記記憶部に記憶されている情報は指定時刻の情報を含み、前記時計機能部により時刻を検知し該指定時刻を含む所定の時間帯に前記読取部により所定のタグが読み取られないとき、前記振動発生部により振動を発生することを特徴とする。
【００１９】
本発明の請求項１３記載の情報教示装置は、固有の識別子を有するタグを読み取る読取部と、音声情報を入力する音声入力部と、前記音声入力部から入力された音声情報を前記タグに対応付けて記憶する記憶部と、音声を出力する音声出力部と、時計機能部とを備え、前記記憶部に記憶されている音声情報は指定時刻の情報を含み、前記時計機能部により時刻を検知し該指定時刻を含む所定の時間帯に前記読取部により所定のタグが読み取られないとき、前記音声出力部により音声を発生することを特徴とする。
【００２０】
本発明の請求項１４記載の情報教示装置は、固有の識別子を有するタグを読み取る読取部と、音声情報を入力する音声入力部と、前記音声入力部から入力された音声情報をタグに対応付けて記憶する記憶部と、音声を出力する音声出力部と、振動を発生する振動発生部と、時計機能部とを備え、前記記憶部に記憶されている音声情報は指定時刻の情報を含み、前記時計機能部により時刻を検知し該指定時刻を含む所定の時間帯に前記読取部により所定のタグが読み取られないとき、前記音声出力部や前記振動発生部により音声または振動、もしくは音声および振動を発生することを特徴とする。
【００２１】
本発明の請求項１５記載の情報教示装置は、請求項１２記載の情報教示装置であって、所定のタグが読み取られるまで定期的に振動を発生することを特徴とする。
本発明の請求項１６記載の情報教示装置は、請求項１３記載の情報教示装置であって、所定のタグが読み取られるまで定期的に音声を発生することを特徴とする。
【００２２】
本発明の請求項１７記載の情報教示装置は、請求項１４記載の情報教示装置であって、所定のタグが読み取られるまで定期的に音声または振動、もしくは音声および振動を発生することを特徴とする。
【００２３】
本発明の請求項１８記載の情報教示装置は、請求項１３、１４、１６、１７のいずれかに記載の情報教示装置であって、指定時刻を含む所定の時間帯に前記読取部により所定のタグが読み取られないときに前記音声出力部から出力される音声が、前記記憶部に記憶されている音声情報に含まれる行動の情報または該行動に関連する時刻の情報、もしくは行動の情報および時刻の情報を通知する音声であることを特徴とする。
【発明の効果】
【００２４】
以上のように、本発明によれば、タグを備えた識別対象の物品に対応する振動を発生することができるので、物品識別装置を利用する環境が該物品識別装置の発した音声を聞き取り難い環境であったり、該環境が音を発してはいけない環境であっても、利用者へ該物品に係わる情報を提供することができる。そのため、物品識別装置を携帯できるようにして、視覚障害者の社会参加を支援することができる。
【００２５】
また、本発明によれば、所定の時刻に所定の物品に装備されたタグを読み取らなかった場合に、該物品に係わる所定の情報を利用者に教示することができる。そのため、物品識別装置もしくは情報教示装置を携帯できるようにし、例えば日常的に服用する薬の包装箱やラジオ・テレビに無線タグを取り付けておけば、投薬時間や放送開始時間になったことを利用者が気付かなかったり、投薬することやラジオ・テレビを聴取することを忘れていたりした場合に、それを指摘することができる。
【発明を実施するための最良の形態】
【００２６】
以下、本発明の実施の形態について説明する。
（実施の形態１）
図１は本実施の形態１における物品識別機器（物品識別装置）１７の構成を表す図である。
【００２７】
図１において、１１は読取部であり、物品に装備された固有の識別子（例えば、識別番号など。）を有するタグを読み取る。１２は音声入力部であり、音声情報を入力する。なお、本実施の形態１ではこの音声情報として指定時刻の情報が入力される。
【００２８】
１３は記憶部であり、音声入力部１２から入力された音声情報が所定のタグの識別子に対応付けられて記憶される。
１４は時計機能部、１５は音声を出力する音声出力部、１６は入力された音声情報を処理する処理部である。
【００２９】
次に、該物品識別機器１７の動作について、特に所定の時刻に所定の物品に装備されたタグを読み取らなかった場合の動作を説明する。
まず、処理部１６は入力された音声情報を所定の物品に装備されたタグの識別子に対応付けて記憶部１３に記憶させる。つまり、記憶部１３にはタグの識別子と該識別子に対応付けられた音声情報（指定時刻情報）が記憶されることになる。指定時刻情報は、日常において定期的に行う仕事の開始時刻や終了時刻などである。
【００３０】
処理部１６は、記憶部１３より指定時刻情報を読み出し、時計機能部１４における時刻と指定時刻がある一定の関係になるまでに所定のタグが読取部１１によって読み取られなかった場合、音声出力部１５から音声を出力する。なお、一定の関係とは、時計機能部１４における時刻が指定時刻の５分前になったときや、同刻になったとき、時計機能部１４における時刻が指定時刻から１分経過したとき等である。
【００３１】
以上のように該物品識別機器１７は、時計機能部１４により現在時刻を検知し指定時刻を含む所定の時間帯に読取部１１により所定のタグが読み取られないとき、音声出力部１５により音声を発生するので、例えば日常的に服用する薬の包装箱に無線タグを取り付けておけば、投薬時間になったことを利用者が気付かなかったりした場合、利用者はその薬には近づかず、利用者が携帯する物品識別装置はそのタグを読み取らないので、それを指摘することができる。このように該物品識別機器によれば、利用者の生活を有効に補助することができる。
【００３２】
なお、ここで音声出力部から出力される音声は、ブザー音であってもよいし、なんらかの行動を促す音声であってもよいし、その行動に関連する時刻（例えば指定時刻）であってもよいし、単に現在時刻であってもよいし、これらの組み合わせであってもよい。行動を促す音声を出力する場合には、例えば、音声情報として物品に係わる行動の情報を入力しておき、その情報を音声に変換して出力する。
【００３３】
また、音声出力部から出力される音声は、読取部によって所定のタグが読み取られるまで連続的にもしくは間欠的に出力されてもよい。このようにタグが読み取られるまで定期的に音声が出力されることにより、最初の音声を聞き逃した場合や該音声が鳴ったことを忘れてしまった場合などにおいても、再度認識することができる。
【００３４】
（実施の形態２）
図２は、本実施の形態２における物品識別機器（物品識別装置）１７の構成を表す図である。なお、前述した実施の形態１と同じ構成を有する部材には同一の符号を付して、説明を省略する。実施の形態１の物品識別機器１７と異なるのは、振動を発生する振動発生部２１を備えていることにある。
【００３５】
次に、該物品識別機器１７の動作について説明する。
まず、処理部１６は入力された音声情報を所定の物品に装備されたタグの識別子に対応付けて記憶部１３に記憶させる。つまり、記憶部１３にはタグの識別子と該識別子に対応付けられた音声情報が記憶されることになる。音声情報としては、そのタグが装備される物品に係わる情報が記憶される。
【００３６】
タグを装備する物品と物品識別機器１７が接近すると、読取部１１にてそのタグの識別子が読み取られ、処理部１６に渡される。処理部１６は、該識別子に対応した音声情報を記憶部１３より読み出す。
【００３７】
ここで該物品識別機器１７が音声出力モードに設定されている場合、処理部１６は該音声情報を音声に変換して音声出力部１５より出力する。該物品識別機器１７が振動発生モードに設定されている場合、処理部１６は該音声情報を振動情報に変換し、該音声情報に対応する振動を振動発生部２１により発生させる。該物品識別機器１７が音声出力モードおよび振動発生モードに設定されている場合には、処理部１６は音声と振動を両方発生させる。
【００３８】
このように該物品識別機器１７は、記憶部１３に記憶されている音声情報に対応付けられたタグを読取部１１により読み取ったとき、音声出力部１５や振動発生部２１により該音声情報に対応する音声または該音声情報に対応する振動、もしくは音声および振動を発生するので、利用者は、音声を再生できない環境もしくは再生された音声が聞き取りにくい環境においても物品を識別することができる。
【００３９】
なお、振動情報は、振動している時間と振動していない時間の組み合わせや、振動周波数、振動の強弱を指示する情報であり、これらによって振動に様々な意味を持たせ、音声情報の内容を教示する。
【００４０】
また、本実施の形態２では、音声入力部を備え、音声情報を入力する構成としたが、例えば振動情報を入力する入力部を備えさせてもよい。物品識別機器１７が音声出力モードに設定されている場合には、処理部１６は該振動情報を音声情報に変換して、該振動情報が表す内容の音声を出力する。
【００４１】
また、物品に係わる情報をデータ入力する入力部を備えさせてもよい。この場合、処理部１６は該データを音声情報や振動情報に変換する。
続いて、所定の時刻に所定の物品に装備されたタグを読み取らなかった場合の動作について説明する。但し、実施の形態１と同様に、音声情報には指定時刻情報が含まれているものとする。
【００４２】
該物品識別機器１７が音声出力モードに設定されている場合、処理部１６は実施の形態１と同様に、記憶部１３より指定時刻情報を読み出し、時計機能部１４における時刻と指定時刻がある一定の関係になるまでに所定のタグが読取部１１によって読み取られなかったとき、音声出力部１５から音声を出力させる。
【００４３】
また、振動発生モードに設定されている場合、処理部１６は振動発生部２１により振動を発生させる。なお、この振動は、単なる振動であってもよいし、なんらかの行動を促す振動であってもよいし、その行動に関連する時刻（例えば指定時刻）を表す振動であってもよいし、単に現在時刻を表す振動であってもよいし、これらの組み合わせであってもよい。
【００４４】
また、音声出力モードおよび振動発生モードに設定されている場合には、処理部１６は音声および振動を発生させる。
また、音声や振動を、読取部によって所定のタグが読み取られるまで連続的にもしくは間欠的に発生させてもよい。
【００４５】
なお、本発明における情報教示装置は、実施の形態１、２において説明した物品識別機器における所定の時刻に所定の物品に装備されたタグを読み取らなかった場合の構成・動作と同様であるので説明を省略する。
【産業上の利用可能性】
【００４６】
本発明にかかる物品識別装置および情報教示装置は、音声および振動により様々な情報を利用者に知らせることが必要な分野等において有用である。
【図面の簡単な説明】
【００４７】
【図１】本発明の実施の形態１における物品識別機器の構成を表す図
【図２】本発明の実施の形態２における物品識別機器の構成を表す図
【符号の説明】
【００４８】
１１      読取部
１２      音声入力部
１３      記憶部
１４      時計機能部
１５      音声出力部
１６      処理部
１７      物品識別機器
２１      振動発生部
【図１】
2005080796.tif 000003
【図２】
2005080796.tif 000004